(57)【要約】【課題】  回路基板、上カバーを共通化し銘板の選択で２種類のリモコン装置を構成する。【解決手段】  回路基板２にスライドスイッチ７を取付けると共に時刻合わせ押釦スイッチを設ける。上ケース４にスライドスイッチ７の操作子９がスライド移動する長孔１０を設けると共に上ケース４に時刻合わせ押釦スイッチを操作する時刻合わせ押釦操作部１１を設ける。上ケース４に、時刻合わせ押釦表示操作部１２と、操作子９がスライド自在となったスライド用孔１３と、入時刻合わせ位置と、切時刻合わせ位置と、現在時刻表示位置とを設けた暖房機を備えた温水洗浄便座用の銘板６ａと、時刻合わせ押釦表示操作部１２と、上ケース４に設けた長孔１０の操作子９を現在時刻表示位置に位置させた状態で該操作子９及び長孔１０を覆う覆い部１７とを設けた暖房機を有さない温水洗浄便座用の銘板６ｂとのいずれかを選択的に取付ける。【選択図】        図１
2006002494.tif 000002
【特許請求の範囲】
【請求項１】
暖房機を備える温水洗浄便座と暖房機を備えない温水洗浄便座とに共通して使用可能な温水洗浄便座の動作を操作するためのリモコン装置であって、回路基板に温水洗浄便座の動作を操作するためのスイッチ部を設け且つ回路基板を覆う上ケースに上記スイッチ部を操作するスイッチ操作部を設け且つ上ケースの表面に配設する銘板に上記スイッチ操作部に対応したスイッチ表示操作部を設けたものにおいて、
上記回路基板に、暖房機の入時刻合わせと、暖房機の切時刻合わせと、現在時刻表示とをスライド操作により切り換え自在としたスライドスイッチを取付けると共に時刻合わせ押釦スイッチを設け、
上ケースにスライドスイッチの操作子が挿通させられてスライド移動する長孔を設けると共に上ケースに時刻合わせ押釦スイッチを操作する時刻合わせ押釦操作部を設け、
上ケースの表面に、
時刻合わせ押釦操作部に対応した時刻合わせ押釦表示操作部と、長孔に対応して操作子がスライド自在に挿通されるスライド用孔と、該スライド用孔の縁に沿って入時刻合わせ位置と、切時刻合わせ位置と、現在時刻表示位置との各位置表示部を設けた暖房機を備えた温水洗浄便座用の銘板と、
時刻合わせ押釦操作部に対応した時刻合わせ押釦表示操作部と、上ケースに設けた長孔の操作子を現在時刻表示位置に位置させた状態で該操作子及び長孔を覆う覆い部とを設けた暖房機を有さない温水洗浄便座用の銘板とのいずれかを選択的に取付けて成ることを特徴とする温水洗浄便座のリモコン装置。
【請求項２】
暖房機を有さない温水洗浄便座用の銘板に、上ケースに設けた長孔の操作子を現在時刻表示位置に位置させた状態で該操作子及び長孔とを覆う覆い部とを設けると共に、該覆い部の操作子を覆う部分が長孔の他の部分を覆う部分よりも表面側に突出した突出覆い部となり、該突出覆い部の背面の凹所に操作子が嵌め込まれて成ることを特徴とする請求項１記載の温水洗浄便座のリモコン装置。
【発明の詳細な説明】
【技術分野】
【０００１】
本発明は、温水洗浄便座のリモコン装置に関するものである。
【背景技術】
【０００２】
従来から温水洗浄便座を操作するに当たって、リモコン装置により温水洗浄便座の動作を操作するようにしているが、トイレに入って用を足している時に現在時刻を知りたい場合があり、このため、温水洗浄便座の各機能を操作するための温水洗浄便座用のリモコン装置に時計機能を設けることが行われている。このような従来例として例えば、特許文献１が知られている。
【０００３】
この従来例にあっては、「おしり洗浄」、「ビデ」、「乾燥」、「止」、「水勢調整」といった温水洗浄便座の各機能を操作するための操作部を有し、更に、現在時刻を表示する現在時刻位置表示部が設けてあって、温水洗浄便座の利用者は温水洗浄装置の各機能を操作するリモコン装置を見ることで現在時刻を知ることができるようになっている。
【０００４】
ところで、温水洗浄便座には暖房機を備えるものと、暖房機を備えないものとの２種類があるが、暖房機を備えた温水洗浄便座の場合には、暖房機の入時刻合わせ、切時刻合わせ、現在時刻表示、現在時刻表示合わせが必要であり、また、暖房機を備えない温水洗浄便座の場合、現在時刻表示、現在時刻表示合わせが必要である。
【０００５】
ここで、従来、暖房機を備えた温水洗浄便座用のリモコン装置においては、例えば、図４（ａ）に示すように、回路基板２に、現在時刻表示位置と、現在時刻合わせ位置と、暖房機の入時刻合わせと、暖房機の切時刻合わせとの各位置に操作子９をスライド操作して切り換え自在とした４値式のスライドスイッチ７を、回路基板２に設けた取付け孔に固定用爪３０を係合して取付け、回路基板２を覆う上ケース４にスライドスイッチ７の操作子９が挿通させられてスライド移動する長孔１０を設け、更に、上ケース４の表面に、上ケース４に設けた長孔１０に対応する操作子９がスライド自在に挿通されるスライド用孔１３を設けると共に該スライド用孔１３の縁に沿って現在時刻表示位置と、現在時刻合わせ位置と、入時刻合わせ位置と、切時刻合わせ位置との各位置表示部を設けた暖房機を備えた温水洗浄便座用の銘板６を重ねて取付けるようにしていた。
【０００６】
一方、暖房機を有さない温水洗浄便座用のリモコン装置においては、例えば、図４（ｂ）に示すように、回路基板２に、現在時刻表示位置と、現在時刻合わせ位置との各位置に操作子９をスライド操作して切り換え自在とした２値式のスライドスイッチ７を、回路基板２に設けた取付け孔に固定用爪３０を係合して取付け、回路基板２を覆う上ケース４にスライドスイッチ７の操作子９が挿通させられてスライド移動する長孔１０を設け、更に、上ケース４の表面に、上ケース４に設けた長孔１０に対応する操作子９がスライド自在に挿通されるスライド用孔１３を設けると共に該スライド用孔１３の縁に沿って現在時刻表示位置と、現在時刻合わせ位置の各位置表示部を設けた暖房機を備えた温水洗浄便座用の銘板６を重ねて取付けるようにしていた。
【０００７】
ところが、上記のように、暖房機を備えた温水洗浄便座用のリモコン装置では４値式のスライドスイッチ７を使用し、暖房機を有しない温水洗浄便座用のリモコン装置では、２価式のスライドスイッチ７を使用するため、回路基板２へのスライドスイッチ７の固定用の爪３０を取付け位置が異なるため、回路基板２の共通化が図れず、また、暖房機を備えた温水洗浄便座用のリモコン装置と暖房機を有しない温水洗浄便座用のリモコン装置とでは上ケース４に設ける長孔１０（スライドスイッチ７の操作子９をスライド自在に挿通する長孔１０）の長さが異なるため、上ケース４も共通化できないという問題がある。また、強いて上ケース４を共通化する方策として、暖房機を有しない温水洗浄便座用のリモコン装置の場合に図４（ｂ）のように銘板６のスライド用孔１３だけを短くすることが考えられるが、この場合、薄い銘板６に設けたスライド用孔１３の一端部が長孔１０上に浮いた状態となり、スライドスイッチ７の操作子９をスライド操作した際にこのスライド用孔１３の一端部の浮いた部分に当たって、銘板６のスライド用孔１３の一端部が破れたりするという問題がある。
【特許文献１】特開平１１−２１３７９９号公報
【発明の開示】
【発明が解決しようとする課題】
【０００８】
本発明は上記の従来の問題点に鑑みて発明したものであって、回路基板、上カバーをそれぞれ共通化して銘板を選択するのみで暖房機を備えた温水洗浄便座用や暖房機を有しない温水洗浄便座用のリモコン装置とすることができる温水洗浄便座のリモコン装置を提供することを課題とするものである。
【課題を解決するための手段】
【０００９】
上記課題を解決するために本発明に係る温水洗浄便座のリモコン装置は、暖房機を備える温水洗浄便座と暖房機を備えない温水洗浄便座とに共通して使用可能な温水洗浄便座の動作を操作するためのリモコン装置１であって、回路基板２に温水洗浄便座の動作を操作するためのスイッチ部を設け且つ回路基板２を覆う上ケース４に上記スイッチ部を操作するスイッチ操作部５を設け且つ上ケース４の表面に配設する銘板６に上記スイッチ操作部５に対応したスイッチ表示操作部３を設けたものにおいて、上記回路基板２に、暖房機の入時刻合わせと、暖房機の切時刻合わせと、現在時刻表示とをスライド操作により切り換え自在としたスライドスイッチ７を取付けると共に時刻合わせ押釦スイッチを設け、上ケース４にスライドスイッチ７の操作子９が挿通させられてスライド移動する長孔１０を設けると共に上ケース４に時刻合わせ押釦スイッチを操作する時刻合わせ押釦操作部１１を設け、上ケース４の表面に、時刻合わせ押釦操作部１１に対応した時刻合わせ押釦表示操作部１２と、長孔１０に対応して操作子９がスライド自在に挿通されるスライド用孔１３と、該スライド用孔１３の縁に沿って入時刻合わせ位置と、切時刻合わせ位置と、現在時刻表示位置との各位置表示部１４、１５、１６を設けた暖房機を備えた温水洗浄便座用の銘板６ａと、時刻合わせ押釦操作部１１に対応した時刻合わせ押釦表示操作部１２と、上ケース４に設けた長孔１０の操作子９を現在時刻表示位置に位置させた状態で該操作子９及び長孔１０を覆う覆い部１７とを設けた暖房機を有さない温水洗浄便座用の銘板６ｂとのいずれかを選択的に取付けて成ることを特徴とするものである。
【００１０】
このような構成とすることで、銘板６として暖房機を備えた温水洗浄便座用の銘板６ａ又は暖房機を有さない温水洗浄便座用の銘板６ｂのいずれかを選択して使用するのみで、現在時刻表示、現在時刻調整機能を備えた温水洗浄便座のリモコン装置１として、暖房機を備えた温水洗浄便座用又は暖房機を有しない温水洗浄便座用として回路基板２や上ケース４を共用化でき、また、スライドスイッチ７を設けることで、暖房機を備えた温水洗浄便座用の場合、操作面が煩雑になるのを防ぎ、どのモード設定になっているかがスライドスイッチの操作子の位置を見るだけで認識できて、操作性が向上すると共に省スペースが図れることになる。
【００１１】
また、暖房機を有さない温水洗浄便座用の銘板６ｂに、上ケース４に設けた長孔１０の操作子９を現在時刻表示位置に位置させた状態で該操作子９及び長孔１０とを覆う覆い部１７とを設けると共に、該覆い部１７の操作子９を覆う部分が長孔１０の他の部分を覆う部分よりも表面側に突出した突出覆い部１７ａとなり、該突出覆い部１７ａの背面の凹所１７ｂに操作子９が嵌め込まれるように構成することが好ましい。
【００１２】
このような構成とすることで、操作子９を現在時刻表示位置に位置させた状態でなければ暖房機を有さない温水洗浄便座用の銘板６ｂを上ケース４の表面に重ねて正確な位置関係で取付けることができず、したがって、操作子９を現在時刻表示位置に位置させないで暖房機を有さない温水洗浄便座用の銘板６ｂを取付けて、つまり、誤って操作子９を入時刻合わせ位置や、切入時刻合わせ位置に位置させたまま温水洗浄便座用の銘板６ｂを取付けて時刻合わせができなくなるというような事態を回避できる。
【発明の効果】
【００１３】
本発明は、上記のように、現在時刻表示、現在時刻調整機能を備えた温水洗浄便座のリモコン装置として、暖房機を備えた温水洗浄便座用又は暖房機を有しない温水洗浄便座用として回路基板や上ケースを共用化でき、また、スライドスイッチを設けることで、暖房機を備えた温水洗浄便座用の場合、操作面が煩雑になるのを防ぎ、どのモード設定になっているかがスライドスイッチの操作子の位置を見るだけで認識できて、操作性が向上すると共に省スペースが図れるという利点がある。
【発明を実施するための最良の形態】
【００１４】
以下、本発明を添付図面に示す実施形態に基いて説明する。
【００１５】
本発明の温水洗浄便座のリモコン装置１は、下ケース（図示せず）と、上ケース４とを組み合わせることで構成されるケースと、ケース内に内装される回路基板２と、上ケース４の表面に重ねて貼付けられる銘板６とで主体が構成してあり、回路基板２は温水洗浄便座の動作を操作するための複数のスイッチ部（図示せず）や送信部（図示せず）が設けてあり、更に、上ケース４に上記スイッチ部を操作するスイッチ操作部５を設けてあり、更に、上ケース４の表面に配設する銘板６に上記スイッチ操作部５に対応したスイッチ表示操作部３を設けてあり、スイッチ表示操作部３を介してスイッチ操作部５を押し操作することでスイッチ部が操作されるようになっており、このようにスイッチ部が操作されると、送信部から温水洗浄便座に備えた受信部に信号が送信され、温水洗浄便座の各動作（例えば臀部洗浄、ビデ洗浄、洗浄水の水勢調整、洗浄水の温度調整、便座の温度調整等々）を行わせるようになっている。
【００１６】
ここで、本発明においては、回路基板２には、図３に示すように、暖房機の入時刻合わせと、暖房機の切時刻合わせと、現在時刻表示とをスライド操作により切り換え自在とした３値式のスライドスイッチ７を取付けてある。スライドスイッチ７には操作子９がスライド自在に突設してあり、操作子９を直線方向にスライド操作して、暖房機の入時刻合わせ位置と、暖房機の切時刻合わせ位置と、現在時刻表示位置の各位置を選択的に切り換えることで、暖房機の入時刻合わせと、暖房機の切時刻合わせと、現在時刻表示との各モードを切り換えることができるようになっている。
【００１７】
また、回路基板２には更に、時刻合わせ押釦スイッチ（図示せず）が設けてあり、この時刻合わせ押釦スイッチは、時刻合わせ用スイッチ（図示せず）と、「時」合わせ用スイッチ（図示せず）と、「分」合わせ用スイッチ（図示せず）とで構成してある。
【００１８】
また、回路基板２に液晶などによる表示部２０が設けてあり、現在時刻の表示や、暖房機の入時刻、切時刻、現在時刻合わせ等の表示を行うようになっており、また、この表示部２０で上記した温水洗浄便座の動作を操作するためのスイッチ部を操作した際にその操作内容を表示するようになっている。
【００１９】
上ケース４には図３に示すように、スライドスイッチ７の操作子９が挿通させられてスライド移動する長孔１０が設けてある。また、上ケース４には回路基板２に設けた上記時刻合わせ押釦スイッチに対応してこの時刻合わせ押釦スイッチを操作するための時刻合わせ押釦操作部１１が設けてある。時刻合わせ押釦操作部１１は、上記時刻合わせ押釦スイッチを構成する時刻合わせ用スイッチと、「時」合わせ用スイッチと、「分」合わせ用スイッチにそれぞれ対応した時刻合わせ用スイッチ操作部１１ａと、「時」合わせ用スイッチ操作部１１ｂと、「分」合わせ用スイッチ操作部１１ｃとで構成してある。更に、上ケース４には上記回路基板２の表示部２０に対応して開口部２１が設けてある。なお、開口部２１でなく表示部２０が透視できる透明部であってもよい。
【００２０】
上ケース４の表面には銘板６が貼付けられて取付けられるが、この銘板６としては、暖房機を備えた温水洗浄便座用の銘板６ａと、暖房機を有さない温水洗浄便座用の銘板６ｂとの２種類を用意する。
【００２１】
いずれの銘板６においても、スイッチ操作部５に対応したスイッチ表示操作部３が設けてあり、また、表示部２０、開口部２１又は透明部に対応した透明窓部２２を備えており、透明窓部２２から開口部２１又は透明部を介して表示部２０の表示が見えるようになっている。また、いずれの銘板６においても、上ケース４の表面に、時刻合わせ押釦操作部１１に対応した時刻合わせ押釦表示操作部１２が設けてあり、時刻合わせ押釦表示操作部１２としては、時刻合わせ押釦操作部１１を構成する時刻合わせ用スイッチ操作部１１ａと、「時」合わせ用スイッチ操作部１１ｂと、「分」合わせ用スイッチ操作部１１ｃとにそれぞれ対応した位置に「時刻合わせ」表示操作部１２ａ、「時」合わせ表示操作部１２ｂ、「分」合わせ表示操作部１２ｃが設けてある。
【００２２】
ここで、暖房機を備えた温水洗浄便座用の銘板６ａには上記の銘板６に共通な構成を備えているのに加え、更に、図２のように、上ケース４に設けた長孔１０に対応して操作子９がスライド自在に挿通されるスライド用孔１３が設けてあり、また、該スライド用孔１３の縁に沿って入時刻合わせ位置と、切時刻合わせ位置と、現在時刻表示位置との各位置表示部１４、１５、１６を設けてある。
【００２３】
一方、暖房機を有しない温水洗浄便座用の銘板６ｂには上記の銘板６に共通な構成を備えているのに加え、更に、図１のように、上ケース４に設けた長孔１０に対応して該長孔１０と操作子９とを覆う表面側に凸となった覆い部１７が設けてあり、また、上ケース４の上記覆い部１７又は透明窓部２２の近傍に「現在時刻」という表示をした「現在時刻」表示２３が設けてある。
【００２４】
長孔１０及び操作子９を覆う覆い部１７としては、銘板６ａの長孔１０に対応した部位を表面側が凸となるように突出させて背面側の凹所に操作子９を位置させる（この場合操作子９は現在時刻表示位置に位置させておく）ようにしてもよいが、図１に示す実施形態では、上記長孔１０及び操作子９を覆う覆い部１７が、現在時刻表示位置に位置させた操作子９に対応して該操作子９を覆う部分が長孔１０の他の部分を覆う部分よりも表面側に突出した突出覆い部１７ａとなり、該突出覆い部１７ａの背面の凹所１７ｂに操作子９が嵌め込まれるように構成してある。このように覆い部１７の一部（現在時刻表示位置に位置させた操作子９に対応した部分）のみを表面側に突出した突出覆い部１７ａとすることで、操作子９を現在時刻表示位置に位置させた状態でなければ暖房機を有さない温水洗浄便座用の銘板６ｂを上ケース４の表面に重ねて正確な位置関係で取付けることができないようになっている。
【００２５】
しかして、本発明においては、上記した上ケース４、下ケース、スライドスイッチ７を取付けた回路基板２によりリモコン装置本体を構成し、このリモコン装置本体と、上記した暖房機を備えた温水洗浄便座用の銘板６ａ、暖房機を有しない温水洗浄便座用の銘板６ｂという２種類の銘板６を用意し、暖房機を備えた温水洗浄便座の場合には、リモコン装置本体の上ケース４の表面に暖房機を備えた温水洗浄便座用の銘板６ａを重ねて貼付けて図２に示すような暖房機を備えた温水洗浄便座用のリモコン装置１を構成するものであり、また、暖房機を有しない温水洗浄便座の場合には、リモコン装置本体の上ケース４の表面に暖房機を有しない温水洗浄便座用の銘板６ｂを重ねて貼付けて図１に示すような暖房機を有しない温水洗浄便座用のリモコン装置１を構成するものである。したがって、本発明においては、回路基板２、上ケース４、下ケースを共通化（つまりリモコン装置本体を共通化）して、２種類の銘板６ａ、６ｂのいずれかを選択して上ケース４表面に取付けるだけで、簡単に、暖房機を備えた温水洗浄便座用のリモコン装置１、暖房機を有しない温水洗浄便座用のリモコン装置１を構成することができる。
【００２６】
ここで、図２に示すような暖房機を備えた温水洗浄便座用のリモコン装置１においては、銘板６ａに設けたスイッチ表示操作部３を指で押すことでスイッチ操作部５が押されてスイッチ部が操作され、温水洗浄便座の各動作（例えば臀部洗浄、あるいはビデ洗浄、洗浄水の水勢調整、洗浄水の温度調整、あるいは便座の温度調整等々）が行われる。これに加え、温水暖房便座に備えた暖房機の入時刻を設定する場合には、操作子９をスライドさせて入時刻合わせ位置表示部１４に位置させてスライドスイッチ７を入時刻合わせが可能な状態にし、この状態で、「時刻合わせ」表示操作部１２ａを押し操作し、更に、「時」合わせ表示操作部１２ｂや「分」合わせ表示操作部１２ｃを押し操作して入時刻の設定をするものであり、また、温水暖房便座に備えた暖房機の切時刻を設定する場合には、操作子９をスライドさせて切時刻合わせ位置表示部１５に位置させてスライドスイッチ７を切時刻合わせが可能な状態にし、この状態で、「時刻合わせ」表示操作部１２ａを押し操作し、更に「時」合わせ表示操作部１２ｂや「分」合わせ表示操作部１２ｃを押し操作して切時刻の設定をするものであり、これらの入時刻や切時刻は設定時に表示部２０に表示される。また、現在時刻を表示部２０で表示する場合には操作子９をスライドさせて現在時刻位置表示部１６に位置させることで現在時刻が表示部２０に表示される。更に、現在時刻の時刻合わせをする場合には、操作子９を現在時刻位置表示部１６に位置させた状態で、「時刻合わせ」表示操作部１２ａを押し操作し、更に、「時」合わせ表示操作部１２ｂや「分」合わせ表示操作部１２ｃを押し操作して現在時刻の調整をして時刻合わせを行うものである。
【００２７】
一方、図１に示すような暖房機を有しない温水洗浄便座用のリモコン装置１においては、銘板６ｂに設けたスイッチ表示操作部３を指で押すことでスイッチ操作部５が押されてスイッチ部が操作され、温水洗浄便座の各動作（例えば臀部洗浄、あるいはビデ洗浄、洗浄水の水勢調整、洗浄水の温度調整、あるいは便座の温度調整等々）が行われる。また、操作子９は現在時刻表示位置に位置しているので、通常は表示部２０に現在時刻が表示される。この現在時刻の時刻合わせをする場合には、「時刻合わせ」表示操作部１２ａを押し操作し、更に、「時」合わせ表示操作部１２ｂや「分」合わせ表示操作部１２ｃを押し操作して現在時刻の調整をして時刻合わせを行うものである。
【００２８】
なお、暖房機を有しない温水洗浄便座用のリモコン装置１を構成する場合、共通の回路基板２を使用するがこの共通の回路基板２にスライドスイッチ７を取付けない状態で使用してもよい。
【図面の簡単な説明】
【００２９】
【図１】本発明の暖房機を有しない温水洗浄便座用のリモコン装置を示し、（ａ）は平面図であり、（ｂ）は一部省略断面図である。
【図２】同上の暖房機を備えた温水洗浄便座用のリモコン装置を示し、（ａ）は平面図であり、（ｂ）は一部省略断面図である。
【図３】同上の銘板を貼る前のリモコン装置本体を示し、（ａ）は平面図であり、（ｂ）は一部省略断面図である。
【図４】従来例を示し、（ａ）は４値式のスライドスイッチ取付け状態を示す説明図であり、（ｂ）は２値式のスライドスイッチ取付け状態を示す説明図である。
【符号の説明】
【００３０】
１  リモコン装置
２  回路基板
３  スイッチ表示操作部
４  上ケース
５  スイッチ操作部
６  銘板
７  スライドスイッチ
９  操作子
１０  長孔
１１  時刻合わせ押釦操作部
１２  時刻合わせ押釦表示操作部
１３  スライド用孔
１４  入時刻合わせ位置表示部
１５  切時刻合わせ位置表示部
１６  現在時刻位置表示部
【図１】
2006002494.tif 000003
【図２】
2006002494.tif 000004
【図３】
2006002494.tif 000005
【図４】
2006002494.tif 000006